(57)【要約】【課題】コストが低廉で印字が迅速にでき、かつ印刷変更も容易に行える印字ラベル補助シートを提供する。【解決手段】複数の嵌入孔を整列させて穿孔した型シートを、該型シートのそれぞれの嵌入孔に、印字すべき印字用ラベルを嵌入させた後に、それらの嵌入孔よりもやや小さい露見孔を対応して形成した上、下オーバレイシートで挟着して固定した構造にしている。【選択図】図１
2004314305.tif 000002
【特許請求の範囲】
【請求項１】
複数の嵌入孔を整列させて穿孔した型シートを、該型シートのそれぞれの嵌入孔に、印字すべき印字用ラベルを嵌入させた後に、それらの嵌入孔よりもやや小さい露見孔を対応して形成した上、下オーバレイシートで挟着して固定した構造にしているラベル印字用補助シート。
【請求項２】
印字用ラベルを嵌入するための複数の嵌入孔を整列させて穿孔するとともに、粘着部を形成した型シートと、
該型シートの嵌入孔の下面を塞ぐようにして、該型シートを下面から支持する支持シートと、
上記型シートの嵌入孔よりもやや小さい露見孔を形成し、上記型シートの上面に一端を固着したオーバレイシートとを備え、
該オーバレイシートを他端よりめくり上げて、上記型シートの嵌入孔への印字用ラベルの入れ替えを可能にした構造にしているラベル印字用補助シート。
【請求項３】
印字用ラベルを嵌入するための複数の嵌入孔を整列させて穿孔するとともに、粘着部を形成した型シートと、
該型シートの嵌入孔よりも小さい露見孔を形成し、型シートを下面から支持する支持シートと、
上記型シートの嵌入孔よりもやや小さい露見孔を対応して形成し、上記型シートの上面に、上記粘着部によって着脱可能に固着されたオーバレイシートとを備えた構造にしているラベル印字用補助シート。
【請求項４】
請求項３において、
上記支持シートの下面、上記オーバレイシートの上面のいずれか一方の面に取り外し可能に貼着されるバックシートを更に備えたラベル印字用補助シート。
【請求項５】
印字用ラベルの外径よりも小さい露見孔を複数宛整列させて形成したオーバレイシートと、
このオーバレイシートの下面で上記オーバレイシートの上記露見孔に対応した箇所に印字用ラベルを貼着させる粘着部を点在させ、かつ、上記オーバレイシートを固着させるための粘着部を形成した支持シートとを備え、
上記支持シートの上記粘着部に、印字用ラベルを貼着させた後、上記オーバレイシートを被せて使用する構造にしたラベル印字用補助シート。
【発明の詳細な説明】
【０００１】
【発明の属する技術分野】
本発明は、ラベル印字用補助シートに係り、更に詳しくは、パソコンなどに接続されるプリンタを用いて、予め成形されたラベルやタグ等に、文字、記号、数字等を効率良く、かつ迅速に印字させる技術に関するものである。
【０００２】
【従来の技術】
建物の変電設備や電力系統のために設けられる配電盤には、監視計器や表示灯、制御のための各種のスイッチ、並びにそれらに接続される電力線、信号線などの配線が装備されているが、ビル、商店、集合住宅等の比較的大規模な建物になると、配電盤も大きくなり、そこに収容される機器や電線の数も多くなるので、組付時において各種スイッチに正しく配線を結線するためや、以後のメンテナンス時に正しく識別できるように、各配線には識別用の線名札が括り付けられているのが通例になっている。
【０００３】
図１３、図１４は、配電盤とその内部の配線状態を示している。
【０００４】
建物内部の壁Ｗなどに配置された配電盤Ｈは、外及び内の開閉扉２１，２２付きのケース枠２３内に、複数の切断スイッチ２４、接続用ターミナル２５、電力計２６等の電気機器が配置されており、それら各電気機器に接続される多数の配線２７の主なものには、種類、形式、用途等を明記して識別するための線名札４Ｒが結束バンドや紐等の紐状体２８を用いて括り付けられている。線名札４Ｒは、厚紙製で円形の印字用ラベル４に、必要な情報（文字、記号、数字等）を記し、小孔４ａに通した紐状体２８によって配線２７に括り付けてある。
【０００５】
ところで、このような線名札４Ｒに文字、数字等の情報を記す手段としては、所定の形状に形成されて納入されてくる印字用ラベル４の各々に、スタンプやマジックなどで表示するようにしていたが、これでは線名札４の１個当りの印字時間が掛かり過ぎるので、多数の線名札を作成するには効率が悪い。そこで、一定速度で移送されるテープ状の台紙に、適宜の形状に形成された印字用ラベルを一定間隔ごとに貼り付けるとともに、その貼り付けられた印字用ラベルに所定の文字、記号、数字等を順次、記すことにより、短時間に多くのラベルを作成する効率の良い印字手段（作成方法）が考えられた。このような例としては、下記の特許文献１に示されたものが知られている。
【０００６】
【特許文献１】
特開平１０−４９０５２号公報
【発明が解決しようとする課題】
しかしながら、テープ状の台紙を用いて連続的にラベルを作成する手段では、それ専用の搬送機械、印刷機械等を備えた生産設備が必要であり、ランニングコストは安くても初期コストが高く付くことから、ラベル１枚当りのコストは割高になることが予測されるとともに、ラベルの形状変更や印刷変更に容易に対応し難い面もある。
【０００７】
本発明は、このような実情に鑑みて開発されたもので、その目的は、印字コストが低廉で迅速に印字ができ、しかも、印字変更も容易に行える印字用ラベルの補助シートを提供することにある。
【０００８】
【課題を解決するための手段】
そこで、本発明では、パソコンに接続して使用できる家庭用、事務用の汎用プリンタを用いて印字することにより、簡単で廉価にラベルを作成して、効率の良い印字が可能な補助シートを提供することを目的としている。
【０００９】
このような汎用プリンタであれば、文字や記号の大きさ、文字間隔、字体等は、パソコンで任意に作成し、設定、変更することができるとともに、印字を迅速に行なうことができるものである。
【００１０】
本発明の請求項１において提案される補助シートは、複数の嵌入孔を整列させて穿孔した型シートを、該型シートのそれぞれの嵌入孔に、印字すべき印字用ラベルを嵌入させた後に、それらの嵌入孔よりもやや小さい露見孔を対応して形成した上、下オーバレイシートで挟着固定して、上記印字用ラベルを、上記複数の嵌入孔に嵌入させた状態に固定保持する構造にしている。
【００１１】
したがって、このような構造の補助シートによれば、印字用ラベルは、型シートの嵌入孔に規則正しく整列された状態で嵌入され、上、下オーバレイシートで挟着保持されているので、通常の記録紙のようにしてプリンタにセットすることによって、正確にかつ迅速に印字出力することが出来る。
そして、この場合、印字ラベルの表、裏面への印字は、上、下のオーバレイシートを選択的に印字面にセットすることによって行なうことが出来、このようにして印字用ラベルに印字を行なった後は、上、下オーバレイシートを破って、印字用ラベルを取り出して使用する。
【００１２】
印字用ラベルは、図例では円形に成形されているが、矩形、楕円など任意の形状が選択でき、型シートや、支持シート、上、下オーバレイシートなどに形成される嵌入孔や、露見孔も、それらに応じた形状に形成される。
【００１３】
また、請求項２の補助シートは、印字用ラベルを嵌入するための複数の嵌入孔を整列させて穿孔するとともに、粘着部を形成した型シートと、該型シートの嵌入孔の下面を塞ぐようにして、該型シートを下面から支持する支持シートと、上記型シートの嵌入孔よりもやや小さい露見孔を形成し、上記型シートの上面に一端を固着したオーバレイシートとを備え、該オーバレイシートを他端よりめくり上げて、上記型シートの嵌入孔への印字用ラベルの入れ替えを可能にした構造にしている。
【００１４】
したがって、このような構造の補助シートによれば、成型シートの嵌入孔に印字用ラベルを嵌入してから、成型シートの上にオーバレイシートを被せて閉じ、オーバレイシートを印字面側に向けて、通常の記録紙のようにしてプリンタにセットして印字出力することが出来る。
そして、このようにして一方の面に印字ラベルを印字した後は、オーバレイシートをめくり上げて、印字済みの印字用ラベルを成型シートの嵌入孔より取出し、裏返してから、成型シートの上に再びオーバレイシートを被せて閉じ、オーバレイシートを印字面側に向けて、プリンタにセットすることによって、印字ラベルの両面に印字することが出来る。また、この態様のものでは、請求項１の補助シートと異なり、型シートを破らないので繰り返し使用が出来る。
【００１５】
また、請求項３の補助シートは、印字用ラベルを嵌入するための複数の嵌入孔を整列させて穿孔するとともに、粘着部を形成した型シートと、該型シートの嵌入孔よりも小さい露見孔を形成し、型シートを下面から支持する支持シートと、上記型シートの嵌入孔よりもやや小さい露見孔を対応して形成し、上記型シートの上面に、上記粘着部によって着脱可能に固着されたオーバレイシートとを備えており、請求項４の補助シートは、請求項３の構成に、更に支持シートの下面、上記オーバレイシートの上面のいずれか一方の面に取り外し可能に貼着されるバックシートとを備えている。
【００１６】
したがって、このような構造の補助シートによれば、型シートの嵌入孔に印字用ラベルを嵌入してから、オーバレイシートを被せ、更に支持シートの嵌入孔を塞ぐようにして、支持シートの下面にバックシートを貼着し、印字面側にオーバレイシートを向けて、通常の記録紙のようにしてプリンタにセットして印字出力する。
そして、このようにして一方の面に印字ラベルを印字した後は、支持シートを、印字面側に向け、プリンタにセットして印字することが出来るので、印字用ラベルを型シートの嵌入孔から取り出して裏返すことなく両面印字ができる。
【００１７】
また、請求項４の補助シートでは、バックシートを使用しているので、印字面と反対する側には印字用ラベルの嵌入孔を塞いで、プリンタによる補助シートの印字送りをスムーズに出来る。
【００１８】
更に、請求項５の補助シートは、印字用ラベルの外径よりも小さい露見孔を複数宛整列させて形成したオーバレイシートと、このオーバレイシートの下面で上記オーバレイシートの上記した露見孔に対応した箇所に印字用ラベルを貼着させる粘着部を点在させ、かつ、上記オーバレイシートを固着させるための粘着部を形成した支持シートとを備え、上記支持シートの上記粘着部に、印字用ラベルを貼着させた後、上記オーバレイシートを被せて使用する構造にしている。
【００１９】
したがって、このような構造の補助シートによれば、支持シートの印字用ラベルの粘着部に、印字用ラベルを貼着させてから、オーバレイシートを被せることによって、印字用ラベルを、オーバーレイシートと支持シートとで上下から挟着保持させた状態に保持し、オーバレイシートを印字面側に向けて、通常の記録紙のようにしてプリンタにセットして印字出力することが出来き、このようにして一方の面に印字ラベルを印字した後は、オーバレイシートをめくり上げて、印字済みの印字用ラベルを支持シートの粘着部から取り外し、裏返してから、支持シートの粘着部に貼着させ、再びオーバレイシートを被せ、オーバレイシートを印字面側に向けて、プリンタにセットすることによって、印字ラベルの両面に印字することが出来、補助シートを繰り返し使用できる。
【００２０】
【発明の実施の形態】
以下に、添付図とともに、本発明の実施例を説明する。
【００２１】
図１〜図３は、本発明の第一の実施例を示す印字用補助シートＡを示している。
【００２２】
この補助シートＡは、図１（ａ），図１（ｂ）に示すように、印字用ラベル４を嵌入するために、その外形に応じた複数の嵌入孔３ａを整列させて穿孔した型シート３と、該型シート３のそれぞれの嵌入孔３ａに、印字すべき印字用ラベル４を嵌入させた後に、それらの嵌入孔４よりもやや小さい露見孔１ａ，２ａを対応して形成した上、下オーバレイシート１，２とを備え、型シート３を上、下のオーバレイシート１，２で挟着保持した構造になっており、印字用ラベル４は、結束バンドや紐を通すための小孔４ａを穿孔しており、印字用ラベル４の表面や裏面に線文字、記号などをプリンタで印字できるようになっている。このような印字用ラベル４は、前述した配電盤Ｈ内における配線２７を識別するための線名札として使用されるものである。
【００２３】
なお、この図１（ａ）では、上、下オーバレイシート１，２を透明なフィルムシートで製していることを想定しているので、符号１，２は図示されていない。
【００２４】
上、下のオーバレイシート１，２は、透光性のあるプラスティックシート、フィルムシート、型シートは紙、プラスティックシートで製造されている。
【００２５】
図２は、印字用ラベル４を、型シート３の嵌入孔３ａに嵌入した後、この型シート３を、その上面、下面から上、下オーバレイシート１，２でラミネート、熱圧着するなどの方法で挟着保持する要領を示している。
【００２６】
このような補助シートＡによれば、印字用ラベル４は、型シート３の嵌入孔３ａに規則正しく整列された状態で嵌入され、上、下オーバレイシート１，２で挟着保持されているので、上、下オーバレイシート１，２のいずれか一方をプリンタの印字面側に向け、通常の記録紙のようにしてプリンタにセットすれば正確かつ迅速に印字することが出来る。
このようにして、印字ラベル４の表面への印字が終了した後は、上、下のオーバレイシート１，２のうちの他方をプリンタの印字面側に向けて、同様にしてプリンタで印字することができ、このようにして印字用ラベル４に印字を行なった後は、上、下のオーバレイシート１，２を破って、印字用ラベル４を取り出して使用する。プリンタの印字をスムーズにするため、必要に応じて、後述するようなバックシートを印字面の反対面に貼着して使用すればよい。
【００２７】
なお、図１（ａ）では、型シート３の嵌入孔３ａに嵌入された印字用ラベル４は、型シート３の上方イと、下方ロとで、その方向が上下反転している（印字用ラベル４に形成された小札４ａが正、逆で反転した方向になっている）。つまり、型シート３は、正方向状態で嵌入孔３ａに嵌入されたものが上方イに配置され、逆転方向状態で嵌入孔３ａに嵌入されたものが下方ロに位置するようになっており、図例では、正方向になって上方イに配置されたものの数が、反転方向になって下方ロに配置されたものの数よりも少なくなっている。
【００２８】
１つの補助シートＡに嵌入される印字用ラベル４の方向を、このようにして正、逆転させているのは、紙送り能力の低い家庭用プリンタにも適用できるようにしたものであり、プリンタに補助シートＡをセットして、印字用ラベル４を印字したときに、補助シートＡに挟着保持された印字用ラベル４のすべてが印字されずに、補助シートＡの送り出しが途中で停止してしまった場合、補助シートＡの挿入方向を逆転させることによって、すべての印字ラベル４を印字できるようにするための配慮である。
【００２９】
図３（ａ）は、印字用ラベル４を挟着保持した補助シートＡを、通常の記録紙のように、プリンタＰの記録紙搬送トレイにセットして印字する要領を示しており、図３（ｂ）は、図３（ａ）で示した挿入方向でセットした補助シートＡが、印字用ラベル４のすべての印字を終了せずに、途中で停止した場合に、プリンタＰの記録紙搬送トレイへの挿入方向を変更させて印字を行なう場合の操作要領を示している。
【００３０】
また、本発明の補助シートＡでは、印字用ラベル４の外径ｄ４、型シート３の嵌入孔３ａの内径ｄ３、上、下オーバレイシート１，２に形成した嵌入孔１ａ，２ａの内径ｄ１、ｄ２との寸法は、次のような関係にある。ｄ３≧ｄ４＞ｄ１＝ｄ２に設定されている。
次に、本発明の補助シートの第二の実施例について説明する。
【００３１】
図４〜図６は、この第二の補助シートＢの実施例を示している。
【００３２】
補助シートＢは、図４に見るように、印字用ラベル４を嵌入するための複数の嵌入孔３ａを整列させて穿孔するとともに、粘着部３ｂを形成した型シート３と、該型シート３の嵌入孔３ａの下面を塞ぐようにして、該型シート３を下面から支持する支持シート５と、上記型シート３の嵌入孔３ａよりもやや小さい露見孔６ａを形成し、その一端６Ａを上記型シート３の上面に固着したオーバレイシート６とを備えており、該オーバレイシート６を、その他端６Ｂよりめくり上げて、上記型シート３の嵌入孔３ａへの印字用ラベル４の入れ替えを可能にした構造にしている。
【００３３】
ここに、オーバレイシート６の一端６Ａは、型シート３の上端に接着剤、熱圧着などで綴じ込んで固着されている。また、図４では、型シート３上に形成された粘着部３ｂは、整列状態に配置された複数の嵌入孔３ａを縦方向に分割した線条体として形成されているが、このような態様に限定されず、オーバレイシート６と型シート３とが取り外し可能に接着できればよい。
【００３４】
支持シート５は、型シート３の下面に貼着させることによって、型シート３の嵌入孔３ａの開口が塞がれるので、プリンタの送りをスムーズに出来る。
【００３５】
このような補助シートＢによれば、オーバレイシート６の他端６Ｂを捲り上げて、型シート３を露見させて、それぞれの嵌入孔３ａに印字用ラベル４を嵌入してから、オーバレイシート６を被せた後、補助シートＢを、オーバレイシート６を印字面側に向くようにプリンタにセットして印字する。
そして、このようにしてオーバレイシート６の露見孔６ａから露見した印字用ラベル４にプリンタによって印字を終了した後は、オーバレイシート６を捲り上げて、型シート３を露見させて、それぞれの嵌入孔３ａに嵌入された印字用ラベル４を取出し、表裏を反転させて入れ替た後、補助シートＢを、オーバレイシート６を印字面側に向くようにプリンタにセットして印字する。
【００３６】
このような構造の補助シートＢによれば、オーバレイシート６を、その他端６Ｂより捲り上げて、型シート３を露出させ、印字がなされた印字用ラベル４を取り替えることによって、繰り返し使用することができる。図５（ａ）は、補助シートＢの平面図、図５（ｂ）は、図５（ａ）におけるＢ−Ｂ線断面図、図６は、印字用ラベルを印字した状態を示す。
ついで、本発明の第三の実施例について説明する。
【００３７】
図７は、本発明の補助シートの第三の実施例を説明する。
【００３８】
この補助シートＣは、印字用ラベル４を嵌入するための複数の嵌入孔３ａを整列させて穿孔するとともに、粘着部３ｂを形成した型シート３と、該型シート３の嵌入孔３ａよりも小さい露見孔７ａを形成し、型シート３を下面から支持する支持シート７と、上記型シート３の嵌入孔３ａよりもやや小さい露見孔８ａを対応して形成し、上記型シート３の上面に、上記粘着部３ｂによって着脱可能に固着されたオーバレイシート８とを備えている。
【００３９】
また、支持シート７の下面には、粘着部によって着脱可能にしたバックシート９を設けているが、このバックシート９は、上記したオーバレイシート８の上面にも付け替え可能に貼着されるようになっている。なお、図７（ａ）では、印字がなされた印字用ラベル４を描かれている。
【００４０】
このような補助シートＣによれば、型シート３の嵌入孔３ａに印字すべき印字用ラベル４を嵌入してから、オーバレイシート８を被せ、更に支持シート７の嵌入孔７ａを塞ぐようにして、支持シート７の下面にバックシート９を貼着して、印字面側にオーバレイシート８を向けて、プリンタにセットすれば、通常の記録紙のようにして印字できる。
そして、このようにして一方の面に印字ラベル４を印字した後は、支持シート７の下面に貼着したバックシート９を取り外し、取り外したバックシート９をオーバレイシート８の上面に被せ、支持シート７を印字面側に向けて、プリンタにセットして印字することが出来る。
【００４１】
バックシート９は、必須の要件ではないが、このようなバックシート９を用いれば、印字用ラベル４を嵌入した嵌入孔３ａの開口を塞いで、プリンタによる印字送りをスムーズに出来る。
本発明の更に他の実施例について説明する。
【００４２】
図８、図９は、補助シートの更に他の実施例を示している。
【００４３】
この補助シートＤは、印字用ラベル４の外径よりも小さい露見孔１０ａを複数宛整列させて形成したオーバレイシート１０と、このオーバレイシート１０の下面で、上記した露見孔１０ａに対応した箇所に印字用ラベル４を貼着させる粘着部１１ａを点在させ、かつ、上記オーバレイシート１０を固着させるための粘着部１１ｂを形成した支持シート１１とを備えており、この支持シート１１の上記した粘着部１１ａに、印字用ラベル４を貼着させた後、上記オーバレイシート１０を、その上面から被せて使用する構造にしている。
【００４４】
図９は、印字用ラベル４を支持シート１１に粘着させる要領を示している。
【００４５】
このような補助シートＤによれば、支持シート１１の印字用ラベルのための粘着部１１ａに、印字用ラベル４を貼着させてから、オーバレイシート１０を被せることによって、印字用ラベル４をオーバレイシート１０と支持シート１１とで上、下から挟着保持させ、その状態でオーバレイシート１０を印字面側に向けて、通常の記録紙のようにしてプリンタにセットして印字することが出来き、このようにして一方の面に印字ラベル４を印字した後は、オーバレイシート１０をめくり上げて、印字済みの印字用ラベル４を支持シート１１の粘着部１１ａから取り外して裏返してから、支持シート１１の粘着部１１ａに再び貼着させ、更にオーバレイシート１０を被せ、オーバレイシート１０を印字面側に向けてプリンタにセットし、これによって印字ラベル４の両面印字が可能となる。
【００４６】
また、このような補助シートＤでは、オーバレイシート１０と、支持シート１１とは粘着部で取り外し可能に一体的に固着されるようになっているので、印字すべきラベル４を取り替えることによって、繰り返し使用することができる。
【００４７】
以上に説明した本願発明の補助シートは、種々の変形態様をもって実施することが出来る。
【００４８】
例えば、型シート３は、印字用ラベル４に応じた厚みを有している必要はなく、それより厚いものであってもよい。そして、後者の場合、図１０（ａ），（ｂ）に示したように、嵌入孔３ａのオーバレイシート１、７、１０、の反対側面に抜止段部３ｂを形成すれば、嵌入孔３ａに嵌入した印字用ラベル４が不用意に抜落ちないようにできる。
【００４９】
図１１、図１２は、本発明の第５の実施例を示している。
この実施例は、印字用ラベル４‘を布などの比較的柔軟なシートで製した場合に適用される。
この補助シートＡ‘は、ベースシート２に印字用ラベル４’を整列させて載置し、その上面に、印字用ラベル４‘よりもやや小さい露見孔１ａを対応して形成したオーバレイシート１とを重合させた構造になっている。このような構造では、オーバレイシート１とベースシート２とをラミネート重合させて、パソコンのプリンタで印字を行い、印字の終了後は、オーバレイシート１をベースシート２から剥離し、使い捨て態様で使用してもよく、図４〜図１０に示したような構造にして、繰り返し使用できるような態様で実施してもよい。
【００５０】
【発明の効果】
以上説明したように、本発明による印字用ラベル補助シートによれば、印字すべきラベルを規則正しく整列状態に保持できるので、事務用プリンタなどを用いるだけで、多量のラベルを正確でかつ迅速に印字することが可能になる。
【図面の簡単な説明】
【図１】（ａ）は本発明の印字用補助シートの第一の実施例を示す平面図、（ｂ）は図１（ａ）におけるＢ−Ｂ線断面図
【図２】本発明の印字用補助シートにおける印刷用ラベルの取付け例を示す説明図
【図３】（ａ），（ｂ）は、図１に示す印字用補助シートのプリンタを用いた場合の使用要領を示す図
【図４】本発明の印字用補助シートの第二の実施例を示す斜視図
【図５】（ａ）は図４に示した印字用補助シートの平面図、（ｂ）は図５（ａ）のＢ−Ｂ線断面図
【図６】図５に示した印字用補助シートを用いて印字用ラベルを印字した場合の説明図
【図７】本発明の印字用補助シートの第三の実施例を示す図であり、（ａ）は印字用ラベルを印字した場合の一部平面図、（ｂ）は図７（ａ）のＢ−Ｂ線断面図
【図８】本発明の印字用補助シートの第四の実施例を示す図であり、（ａ）は印字用ラベルを嵌入した場合の一部平面図、（ｂ）は図８（ａ）のＢ−Ｂ線断面図
【図９】（ａ）〜（ｃ）は図８に示した印字用補助シートに印字用ラベルを装着する要領を示す図
【図１０】（ａ）、（ｂ）は型シートの他例を、印字用ラベルとともに示す図
【図１１】本発明の印字用補助シートの第五の実施を示す斜視図
【図１２】図１１に示す印字用補助シートの分解構成図
【図１３】外扉を開いた状態の配電盤を示す斜視図
【図１４】配電盤内部における配線状態を示す部分斜視図
【符号の説明】
Ａ，Ｂ，Ｃ，Ｄ・・・本発明の印字レベル用補助シート
１，２，６，７，１０・・・オーバレイシート
１ａ，２ａ，６ａ，７ａ，１０ａ・・・その露見孔
３・・・型シート
３ａ・・・その嵌入孔
３ｂ・・・抜止段部
４・・・印字用ラベル
４ａ・・・その小孔
５，８・・・支持シート
９・・・バックシート
Ｐ・・・プリンタ
【図１】
2004314305.tif 000003
【図２】
2004314305.tif 000004
【図３】
2004314305.tif 000005
【図４】
2004314305.tif 000006
【図５】
2004314305.tif 000007
【図６】
2004314305.tif 000008
【図７】
2004314305.tif 000009
【図８】
2004314305.tif 000010
【図９】
2004314305.tif 000011
【図１０】
2004314305.tif 000012
【図１１】
2004314305.tif 000013
【図１２】
2004314305.tif 000014
【図１３】
2004314305.tif 000015
【図１４】
2004314305.tif 000016
【手続補正書】
【提出日】平成16年4月26日(2004.4.26)
【手続補正１】
【補正対象書類名】明細書
【補正対象項目名】全文
【補正方法】変更
【補正の内容】
【特許請求の範囲】
【請求項１】複数の嵌入孔を整列させて穿孔した型シートを、該型シートのそれぞれの嵌入孔に、印字すべき印字用ラベルを嵌入させた後に、それらの嵌入孔よりもやや小さい露見孔を対応して形成した上、下オーバレイシートで挟着して固定した構造にしているラベル印字用補助シート。
【請求項２】印字用ラベルを嵌入するための複数の嵌入孔を整列させて穿孔するとともに、粘着部を形成した型シートと、
該型シートの嵌入孔の下面を塞ぐようにして、該型シートを下面から支持する支持シートと、
上記型シートの嵌入孔よりもやや小さい露見孔を形成し、上記型シートの上面に一端を固着したオーバレイシートとを備え、
該オーバレイシートを他端よりめくり上げて、上記型シートの嵌入孔への印字用ラベルの入れ替えを可能にした構造にしているラベル印字用補助シート。
【請求項３】印字用ラベルを嵌入するための複数の嵌入孔を整列させて穿孔するとともに、粘着部を形成した型シートと、
該型シートの嵌入孔よりも小さい露見孔を形成し、型シートを下面から支持する支持シートと、
上記型シートの嵌入孔よりもやや小さい露見孔を対応して形成し、上記型シートの上面に、上記粘着部によって着脱可能に固着されたオーバレイシートとを備えた構造にしているラベル印字用補助シート。
【請求項４】請求項３において、
上記支持シートの下面、上記オーバレイシートの上面のいずれか一方の面に取り外し可能に貼着されるバックシートを更に備えたラベル印字用補助シート。
【発明の詳細な説明】
【０００１】
【発明の属する技術分野】
本発明は、ラベル印字用補助シートに係り、更に詳しくは、パソコンなどに接続されるプリンタを用いて、予め成形されたラベルやタグ等に、文字、記号、数字等を効率良く、かつ迅速に印字させる技術に関するものである。
【０００２】
【従来の技術】
建物の変電設備や電力系統のために設けられる配電盤には、監視計器や表示灯、制御のための各種のスイッチ、並びにそれらに接続される電力線、信号線などの配線が装備されているが、ビル、商店、集合住宅等の比較的大規模な建物になると、配電盤も大きくなり、そこに収容される機器や電線の数も多くなるので、組付時において各種スイッチに正しく配線を結線するためや、以後のメンテナンス時に正しく識別できるように、各配線には識別用の線名札が括り付けられているのが通例になっている。
【０００３】
図９、図１０は、配電盤とその内部の配線状態を示している。
【０００４】
建物内部の壁Ｗなどに配置された配電盤Ｈは、外及び内の開閉扉２１，２２付きのケース枠２３内に、複数の切断スイッチ２４、接続用ターミナル２５、電力計２６等の電気機器が配置されており、それら各電気機器に接続される多数の配線２７の主なものには、種類、形式、用途等を明記して識別するための線名札４Ｒが結束バンドや紐等の紐状体２８を用いて括り付けられている。線名札４Ｒは、厚紙製で円形の印字用ラベル４に、必要な情報（文字、記号、数字等）を記し、小孔４ａに通した紐状体２８によって配線２７に括り付けてある。
【０００５】
ところで、このような線名札４Ｒに文字、数字等の情報を記す手段としては、所定の形状に形成されて納入されてくる印字用ラベル４の各々に、スタンプやマジックなどで表示するようにしていたが、これでは線名札４の１個当りの印字時間が掛かり過ぎるので、多数の線名札を作成するには効率が悪い。そこで、一定速度で移送されるテープ状の台紙に、適宜の形状に形成された印字用ラベルを一定間隔ごとに貼り付けるとともに、その貼り付けられた印字用ラベルに所定の文字、記号、数字等を順次、記すことにより、短時間に多くのラベルを作成する効率の良い印字手段（作成方法）が考えられた。このような例としては、下記の特許文献１に示されたものが知られている。
【０００６】
【特許文献１】
特開平１０−４９０５２号公報
【発明が解決しようとする課題】
しかしながら、テープ状の台紙を用いて連続的にラベルを作成する手段では、それ専用の搬送機械、印刷機械等を備えた生産設備が必要であり、ランニングコストは安くても初期コストが高く付くことから、ラベル１枚当りのコストは割高になることが予測されるとともに、ラベルの形状変更や印刷変更に容易に対応し難い面もある。
【０００７】
本発明は、このような実情に鑑みて開発されたもので、その目的は、印字コストが低廉で迅速に印字ができ、しかも、印字変更も容易に行える印字用ラベルの補助シートを提供することにある。
【０００８】
【課題を解決するための手段】
そこで、本発明では、パソコンに接続して使用できる家庭用、事務用の汎用プリンタを用いて印字することにより、簡単で廉価にラベルを作成して、効率の良い印字が可能な補助シートを提供することを目的としている。
【０００９】
このような汎用プリンタであれば、文字や記号の大きさ、文字間隔、字体等は、パソコンで任意に作成し、設定、変更することができるとともに、印字を迅速に行なうことができるものである。
【００１０】
本発明の請求項１において提案される補助シートは、複数の嵌入孔を整列させて穿孔した型シートを、該型シートのそれぞれの嵌入孔に、印字すべき印字用ラベルを嵌入させた後に、それらの嵌入孔よりもやや小さい露見孔を対応して形成した上、下オーバレイシートで挟着固定して、上記印字用ラベルを、上記複数の嵌入孔に嵌入させた状態に固定保持する構造にしている。
【００１１】
したがって、このような構造の補助シートによれば、印字用ラベルは、型シートの嵌入孔に規則正しく整列された状態で嵌入され、上、下オーバレイシートで挟着保持されているので、通常の記録紙のようにしてプリンタにセットすることによって、正確にかつ迅速に印字出力することが出来る。
そして、この場合、印字ラベルの表、裏面への印字は、上、下のオーバレイシートを選択的に印字面にセットすることによって行なうことが出来、このようにして印字用ラベルに印字を行なった後は、上、下オーバレイシートを破って、印字用ラベルを取り出して使用する。
【００１２】
印字用ラベルは、図例では円形に成形されているが、矩形、楕円など任意の形状が選択でき、型シートや、支持シート、上、下オーバレイシートなどに形成される嵌入孔や、露見孔も、それらに応じた形状に形成される。
【００１３】
また、請求項２の補助シートは、印字用ラベルを嵌入するための複数の嵌入孔を整列させて穿孔するとともに、粘着部を形成した型シートと、該型シートの嵌入孔の下面を塞ぐようにして、該型シートを下面から支持する支持シートと、上記型シートの嵌入孔よりもやや小さい露見孔を形成し、上記型シートの上面に一端を固着したオーバレイシートとを備え、該オーバレイシートを他端よりめくり上げて、上記型シートの嵌入孔への印字用ラベルの入れ替えを可能にした構造にしている。
【００１４】
したがって、このような構造の補助シートによれば、成型シートの嵌入孔に印字用ラベルを嵌入してから、成型シートの上にオーバレイシートを被せて閉じ、オーバレイシートを印字面側に向けて、通常の記録紙のようにしてプリンタにセットして印字出力することが出来る。
そして、このようにして一方の面に印字ラベルを印字した後は、オーバレイシートをめくり上げて、印字済みの印字用ラベルを成型シートの嵌入孔より取出し、裏返してから、成型シートの上に再びオーバレイシートを被せて閉じ、オーバレイシートを印字面側に向けて、プリンタにセットすることによって、印字ラベルの両面に印字することが出来る。また、この態様のものでは、請求項１の補助シートと異なり、型シートを破らないので繰り返し使用が出来る。
【００１５】
また、請求項３の補助シートは、印字用ラベルを嵌入するための複数の嵌入孔を整列させて穿孔するとともに、粘着部を形成した型シートと、該型シートの嵌入孔よりも小さい露見孔を形成し、型シートを下面から支持する支持シートと、上記型シートの嵌入孔よりもやや小さい露見孔を対応して形成し、上記型シートの上面に、上記粘着部によって着脱可能に固着されたオーバレイシートとを備えており、請求項４の補助シートは、請求項３の構成に、更に支持シートの下面、上記オーバレイシートの上面のいずれか一方の面に取り外し可能に貼着されるバックシートとを備えている。
【００１６】
したがって、このような構造の補助シートによれば、型シートの嵌入孔に印字用ラベルを嵌入してから、オーバレイシートを被せ、更に支持シートの嵌入孔を塞ぐようにして、支持シートの下面にバックシートを貼着し、印字面側にオーバレイシートを向けて、通常の記録紙のようにしてプリンタにセットして印字出力する。
そして、このようにして一方の面に印字ラベルを印字した後は、支持シートを、印字面側に向け、プリンタにセットして印字することが出来るので、印字用ラベルを型シートの嵌入孔から取り出して裏返すことなく両面印字ができる。
【００１７】
また、請求項４の補助シートでは、バックシートを使用しているので、印字面と反対する側には印字用ラベルの嵌入孔を塞いで、プリンタによる補助シートの印字送りをスムーズに出来る。
【００１８】
【発明の実施の形態】
以下に、添付図とともに、本発明の実施例を説明する。
【００１９】
図１〜図３は、本発明の第一の実施例を示す印字用補助シートＡを示している。
【００２０】
この補助シートＡは、図１（ａ），図１（ｂ）に示すように、印字用ラベル４を嵌入するために、その外形に応じた複数の嵌入孔３ａを整列させて穿孔した型シート３と、該型シート３のそれぞれの嵌入孔３ａに、印字すべき印字用ラベル４を嵌入させた後に、それらの嵌入孔４よりもやや小さい露見孔１ａ，２ａを対応して形成した上、下オーバレイシート１，２とを備え、型シート３を上、下のオーバレイシート１，２で挟着保持した構造になっており、印字用ラベル４は、結束バンドや紐を通すための小孔４ａを穿孔しており、印字用ラベル４の表面や裏面に線文字、記号などをプリンタで印字できるようになっている。このような印字用ラベル４は、前述した配電盤Ｈ内における配線２７を識別するための線名札として使用されるものである。
【００２１】
なお、この図１（ａ）では、上、下オーバレイシート１，２を透明なフィルムシートで製していることを想定しているので、符号１，２は図示されていない。
【００２２】
上、下のオーバレイシート１，２は、透光性のあるプラスティックシート、フィルムシート、型シートは紙、プラスティックシートで製造されている。
【００２３】
図２は、印字用ラベル４を、型シート３の嵌入孔３ａに嵌入した後、この型シート３を、その上面、下面から上、下オーバレイシート１，２でラミネート、熱圧着するなどの方法で挟着保持する要領を示している。
【００２４】
このような補助シートＡによれば、印字用ラベル４は、型シート３の嵌入孔３ａに規則正しく整列された状態で嵌入され、上、下オーバレイシート１，２で挟着保持されているので、上、下オーバレイシート１，２のいずれか一方をプリンタの印字面側に向け、通常の記録紙のようにしてプリンタにセットすれば正確かつ迅速に印字することが出来る。
このようにして、印字ラベル４の表面への印字が終了した後は、上、下のオーバレイシート１，２のうちの他方をプリンタの印字面側に向けて、同様にしてプリンタで印字することができ、このようにして印字用ラベル４に印字を行なった後は、上、下のオーバレイシート１，２を破って、印字用ラベル４を取り出して使用する。プリンタの印字をスムーズにするため、必要に応じて、後述するようなバックシートを印字面の反対面に貼着して使用すればよい。
【００２５】
なお、図１（ａ）では、型シート３の嵌入孔３ａに嵌入された印字用ラベル４は、型シート３の上方イと、下方ロとで、その方向が上下反転している（印字用ラベル４に形成された小札４ａが正、逆で反転した方向になっている）。つまり、型シート３は、正方向状態で嵌入孔３ａに嵌入されたものが上方イに配置され、逆転方向状態で嵌入孔３ａに嵌入されたものが下方ロに位置するようになっており、図例では、正方向になって上方イに配置されたものの数が、反転方向になって下方ロに配置されたものの数よりも少なくなっている。
【００２６】
１つの補助シートＡに嵌入される印字用ラベル４の方向を、このようにして正、逆転させているのは、紙送り能力の低い家庭用プリンタにも適用できるようにしたものであり、プリンタに補助シートＡをセットして、印字用ラベル４を印字したときに、補助シートＡに挟着保持された印字用ラベル４のすべてが印字されずに、補助シートＡの送り出しが途中で停止してしまった場合、補助シートＡの挿入方向を逆転させることによって、すべての印字ラベル４を印字できるようにするための配慮である。
【００２７】
図３（ａ）は、印字用ラベル４を挟着保持した補助シートＡを、通常の記録紙のように、プリンタＰの記録紙搬送トレイにセットして印字する要領を示しており、図３（ｂ）は、図３（ａ）で示した挿入方向でセットした補助シートＡが、印字用ラベル４のすべての印字を終了せずに、途中で停止した場合に、プリンタＰの記録紙搬送トレイへの挿入方向を変更させて印字を行なう場合の操作要領を示している。
【００２８】
また、本発明の補助シートＡでは、印字用ラベル４の外径ｄ４、型シート３の嵌入孔３ａの内径ｄ３、上、下オーバレイシート１，２に形成した嵌入孔１ａ，２ａの内径ｄ１、ｄ２との寸法は、次のような関係にある。ｄ３≧ｄ４＞ｄ１＝ｄ２に設定されている。
次に、本発明の補助シートの第二の実施例について説明する。
【００２９】
図４〜図６は、この第二の補助シートＢの実施例を示している。
【００３０】
補助シートＢは、図４に見るように、印字用ラベル４を嵌入するための複数の嵌入孔３ａを整列させて穿孔するとともに、粘着部３ｂを形成した型シート３と、該型シート３の嵌入孔３ａの下面を塞ぐようにして、該型シート３を下面から支持する支持シート５と、上記型シート３の嵌入孔３ａよりもやや小さい露見孔６ａを形成し、その一端６Ａを上記型シート３の上面に固着したオーバレイシート６とを備えており、該オーバレイシート６を、その他端６Ｂよりめくり上げて、上記型シート３の嵌入孔３ａへの印字用ラベル４の入れ替えを可能にした構造にしている。
【００３１】
ここに、オーバレイシート６の一端６Ａは、型シート３の上端に接着剤、熱圧着などで綴じ込んで固着されている。また、図４では、型シート３上に形成された粘着部３ｂは、整列状態に配置された複数の嵌入孔３ａを縦方向に分割した線条体として形成されているが、このような態様に限定されず、オーバレイシート６と型シート３とが取り外し可能に接着できればよい。
【００３２】
支持シート５は、型シート３の下面に貼着させることによって、型シート３の嵌入孔３ａの開口が塞がれるので、プリンタの送りをスムーズに出来る。
【００３３】
このような補助シートＢによれば、オーバレイシート６の他端６Ｂを捲り上げて、型シート３を露見させて、それぞれの嵌入孔３ａに印字用ラベル４を嵌入してから、オーバレイシート６を被せた後、補助シートＢを、オーバレイシート６を印字面側に向くようにプリンタにセットして印字する。
そして、このようにしてオーバレイシート６の露見孔６ａから露見した印字用ラベル４にプリンタによって印字を終了した後は、オーバレイシート６を捲り上げて、型シート３を露見させて、それぞれの嵌入孔３ａに嵌入された印字用ラベル４を取出し、表裏を反転させて入れ替た後、補助シートＢを、オーバレイシート６を印字面側に向くようにプリンタにセットして印字する。
【００３４】
このような構造の補助シートＢによれば、オーバレイシート６を、その他端６Ｂより捲り上げて、型シート３を露出させ、印字がなされた印字用ラベル４を取り替えることによって、繰り返し使用することができる。図５（ａ）は、補助シートＢの平面図、図５（ｂ）は、図５（ａ）におけるＢ−Ｂ線断面図、図６は、印字用ラベルを印字した状態を示す。
ついで、本発明の第三の実施例について説明する。
【００３５】
図７は、本発明の補助シートの第三の実施例を説明する。
【００３６】
この補助シートＣは、印字用ラベル４を嵌入するための複数の嵌入孔３ａを整列させて穿孔するとともに、粘着部３ｂを形成した型シート３と、該型シート３の嵌入孔３ａよりも小さい露見孔７ａを形成し、型シート３を下面から支持する支持シート７と、上記型シート３の嵌入孔３ａよりもやや小さい露見孔８ａを対応して形成し、上記型シート３の上面に、上記粘着部３ｂによって着脱可能に固着されたオーバレイシート８とを備えている。
【００３７】
また、支持シート７の下面には、粘着部によって着脱可能にしたバックシート９を設けているが、このバックシート９は、上記したオーバレイシート８の上面にも付け替え可能に貼着されるようになっている。なお、図７（ａ）では、印字がなされた印字用ラベル４を描かれている。
【００３８】
このような補助シートＣによれば、型シート３の嵌入孔３ａに印字すべき印字用ラベル４を嵌入してから、オーバレイシート８を被せ、更に支持シート７の嵌入孔７ａを塞ぐようにして、支持シート７の下面にバックシート９を貼着して、印字面側にオーバレイシート８を向けて、プリンタにセットすれば、通常の記録紙のようにして印字できる。
そして、このようにして一方の面に印字ラベル４を印字した後は、支持シート７の下面に貼着したバックシート９を取り外し、取り外したバックシート９をオーバレイシート８の上面に被せ、支持シート７を印字面側に向けて、プリンタにセットして印字することが出来る。
【００３９】
バックシート９は、必須の要件ではないが、このようなバックシート９を用いれば、印字用ラベル４を嵌入した嵌入孔３ａの開口を塞いで、プリンタによる印字送りをスムーズに出来る。
本発明の更に他の実施例について説明する。
【００４０】
例えば、型シート３は、印字用ラベル４に応じた厚みを有している必要はなく、それより厚いものであってもよい。そして、後者の場合、図８（ａ），（ｂ）に示したように、嵌入孔３ａのオーバレイシート１、７、１０、の反対側面に抜止段部３ｂを形成すれば、嵌入孔３ａに嵌入した印字用ラベル４が不用意に抜落ちないようにできる。
【００４１】
【発明の効果】
以上説明したように、本発明による印字用ラベル補助シートによれば、印字すべきラベルを規則正しく整列状態に保持できるので、事務用プリンタなどを用いるだけで、多量のラベルを正確でかつ迅速に印字することが可能になる。
【図面の簡単な説明】
【図１】（ａ）は本発明の印字用補助シートの第一の実施例を示す平面図、（ｂ）は図１（ａ）におけるＢ−Ｂ線断面図
【図２】本発明の印字用補助シートにおける印刷用ラベルの取付け例を示す説明図
【図３】（ａ），（ｂ）は、図１に示す印字用補助シートのプリンタを用いた場合の使用要領を示す図
【図４】本発明の印字用補助シートの第二の実施例を示す斜視図
【図５】（ａ）は図４に示した印字用補助シートの平面図、（ｂ）は図５（ａ）のＢ−Ｂ線断面図
【図６】図５に示した印字用補助シートを用いて印字用ラベルを印字した場合の説明図
【図７】本発明の印字用補助シートの第三の実施例を示す図であり、（ａ）は印字用ラベルを印字した場合の一部平面図、（ｂ）は図７（ａ）のＢ−Ｂ線断面図
【図８】（ａ）、（ｂ）は型シートの他例を印字ラベルとともに示す図
【図９】外扉を開いた状態の配電盤を示す斜視図
【図１０】配電盤内部における配線状態を示す部分斜視図
【符号の説明】
Ａ，Ｂ，Ｃ・・・本発明の印字レベル用補助シート
１，２，６，７，１０・・・オーバレイシート
１ａ，２ａ，６ａ，７ａ，１０ａ・・・その露見孔
３・・・型シート
３ａ・・・その嵌入孔
３ｂ・・・抜止段部
４・・・印字用ラベル
４ａ・・・その小孔
５,８・・・支持シート
９・・・バックシート
Ｐ・・・プリンタ


【手続補正２】
【補正対象書類名】図面
【補正対象項目名】全図
【補正方法】変更
【補正の内容】
【図１】
2004314305.tif 000017
【図２】
2004314305.tif 000018
【図３】
2004314305.tif 000019
【図４】
2004314305.tif 000020
【図５】
2004314305.tif 000021
【図６】
2004314305.tif 000022
【図７】
2004314305.tif 000023
【図８】
2004314305.tif 000024
【図９】
2004314305.tif 000025
【図１０】
2004314305.tif 000026